【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
アプリケーションが動作するホスト計算機と、それぞれ一以上の論理ボリュームを含む複数のボリュームグループを備え、少なくとも一の前記論理ボリュームが前記アプリケーションに割り当てられているストレージ装置とに相互に通信可能に接続している管理計算機であって、
前記管理計算機が、
前記アプリケーションが使用している前記論理ボリュームが属するボリュームグループをバックアップ元とするペアを構成する場合に、前記ボリュームグループに、他のアプリケーションが使用している他の論理ボリュームがあるか否かを判定するボリュームグループ重複使用判定部と、
前記アプリケーションが使用している前記論理ボリュームが属するボリュームグループをバックアップ元とするペアを構成する場合に、前記アプリケーションについて設定されたバックアップポリシー情報と同一のバックアップポリシー情報が設定されている他のボリュームグループがあるか否かを判定するバックアップポリシー判定部とを備え、
前記ボリュームグループ重複使用判定部が、前記ボリュームグループに前記他の論理ボリュームがないと判定した場合に、当該ボリュームグループをバックアップ元としてペアを構成し、
前記ボリュームグループ重複使用判定部が、前記ボリュームグループに前記他の論理ボリュームを共用している他のアプリケーションがあると判定し、かつ前記バックアップポリシー判定部が同一のバックアップポリシー情報を有する他のアプリケーションが使用している論理ボリュームが属する他のボリュームグループがあると判定した場合に、
前記アプリケーションの論理ボリュームを、当該他のボリュームグループに移動させ、当該他のボリュームグループをバックアップ元としてペアを構成する
ことを特徴とする管理計算機。
【請求項２】
請求項１に記載の管理計算機であって、
前記ボリュームグループ重複使用判定部が、前記ボリュームグループに前記他の論理ボリュームがないと判定した場合に、当該アプリケーションが使用している論理ボリュームが属するボリュームグループをバックアップ元としてペアを構成可能である旨を当該アプリケーションの管理者に通知し、
前記ボリュームグループ重複使用判定部が、前記ボリュームグループに前記他の論理ボリュームがあると判定した場合に、当該ボリュームグループをバックアップ元としてペアを構成できない旨を当該アプリケーションの管理者に通知するとともに、当該アプリケーションが使用している論理ボリュームが属するボリュームグループを他のボリュームグループに移動させる旨を当該管理者に通知することを特徴とする管理計算機。
【請求項３】
請求項２に記載の管理計算機であって、
前記管理計算機は、前記ボリュームグループ重複使用判定部が、前記ボリュームグループに前記他の論理ボリュームがあると判定した場合に、当該アプリケーションについて設定されたバックアップポリシー情報と同一のバックアップポリシー情報が設定されている他のアプリケーションが使用している論理ボリュームが属する既存のボリュームグループがあるか否かを検索し、あると判定された場合に、移動先となるボリュームグループが存在する旨をアプリケーション管理者に通知することを特徴とする管理計算機。
【請求項４】
請求項１から３までのいずれかに記載の管理計算機であって、
前記管理計算機は、バックアップ元のボリュームグループに格納されているアプリケーションのデータを、当該アプリケーションが動作しているホスト計算機によって、ファイル単位で他のボリュームグループへ移動させることを特徴とする管理計算機。
【請求項５】
請求項１から４までのいずれかに記載の管理計算機であって、
前記バックアップポリシー情報は、ローカルコピー又はリモートコピーの種別、バックアップ作成世代数、及びバックアップスケジュールから選択した項目を含んでいることを特徴とする管理計算機。
【請求項６】
請求項１から５までのいずれかに記載の管理計算機であって、
前記バックアップのペアが構成されているアプリケーションのバックアップデータをバックアップ元であるボリュームグループにある論理ボリュームに書き戻すリストア処理を実施するに際して、前記ボリュームグループ重複使用判定部が、前記ボリュームグループに前記他の論理ボリュームがあると判定した場合に、
新たにボリュームグループを作成し、前記他の論理ボリュームに格納されているデータを新規のボリュームグループに移動させ、バックアップ元のボリュームグループに前記アプリケーションのバックアップデータをコピーし、新規ボリュームグループに移動させた前記データをバックアップ元のボリュームグループへ書き戻す手法と、
バックアップ元の論理ボリュームとバックアップ先の論理ボリュームとからなるペアをスプリットし、当該アプリケーションのバックアップデータが格納されている前記バックアップ先の論理ボリュームを前記ホスト計算機にマウントし、前記バックアップ元の論理ボリュームにバックアップデータをコピーする手法とから選択したいずれかの手法を用いてリストア処理を実行することを特徴とする管理計算機。
【請求項７】
仮想化ソフトウェアによって一以上の仮想サーバが構築されており、各前記仮想サーバ上で少なくとも一のアプリケーションが動作するホスト計算機と、それぞれ一以上の論理ボリュームを含む複数のボリュームグループを備え、少なくとも一の前記論理ボリュームが前記アプリケーションに割り当てられているストレージ装置とに相互に通信可能に接続している管理計算機であって、
前記管理計算機が、
前記アプリケーションが使用している前記論理ボリュームが属するボリュームグループをバックアップ元とするペアを構成する場合に、前記ボリュームグループに、他のアプリケーションが使用している他の論理ボリュームがあるか否かを判定するボリュームグループ重複使用判定部と、
前記アプリケーションが使用している前記論理ボリュームが属するボリュームグループをバックアップ元とするペアを構成する場合に、前記アプリケーションについて設定されたバックアップポリシー情報と同一のバックアップポリシー情報が設定されている他のボリュームグループがあるか否かを判定するバックアップポリシー判定部とを備え、
前記ボリュームグループ重複使用判定部が、前記ボリュームグループに前記他の論理ボリュームがないと判定した場合に、当該ボリュームグループをバックアップ元としてペアを構成し、
前記ボリュームグループ重複使用判定部が、前記ボリュームグループに前記他の論理ボリュームを共用している他のアプリケーションがあると判定し、かつ前記バックアップポリシー判定部が同一のバックアップポリシー情報を有する他のアプリケーションが使用している論理ボリュームが属する他のボリュームグループがあると判定した場合に、
前記アプリケーションの論理ボリュームを、当該他のボリュームグループに移動させ、当該他のボリュームグループをバックアップ元としてペアを構成する
ことを特徴とする管理計算機。
【請求項８】
請求項７に記載の管理計算機であって、
前記ボリュームグループ重複使用判定部が、前記ボリュームグループに前記他の論理ボリュームがないと判定した場合に、当該アプリケーションが使用している論理ボリュームが属するボリュームグループをバックアップ元としてペアを構成可能である旨を当該アプリケーションの管理者に通知し、
前記ボリュームグループ重複使用判定部が、前記ボリュームグループに前記他の論理ボリュームがあると判定した場合に、当該ボリュームグループをバックアップ元としてペアを構成できない旨を当該アプリケーションの管理者に通知するとともに、当該アプリケーションが使用している論理ボリュームが属するボリュームグループを他のボリュームグループに移動させる旨を当該管理者に通知することを特徴とする管理計算機。
【請求項９】
請求項８に記載の管理計算機であって、
前記管理計算機は、前記ボリュームグループ重複使用判定部が、前記ボリュームグループに前記他の論理ボリュームがあると判定した場合に、当該アプリケーションについて設定されたバックアップポリシー情報と同一のバックアップポリシー情報が設定されている他のアプリケーションが使用している論理ボリュームが属する既存のボリュームグループがあるか否かを検索し、あると判定された場合に、移動先となるボリュームグループが存在する旨をアプリケーション管理者に通知することを特徴とする管理計算機。
【請求項１０】
請求項７から９までのいずれかに記載の管理計算機であって、
前記管理計算機は、バックアップ元のボリュームグループに格納されているアプリケーションのデータを、当該アプリケーションが動作しているホスト計算機によって、ファイル単位で他のボリュームグループへ移動させることを特徴とする管理計算機。
【請求項１１】
請求項７から１０までのいずれかに記載の管理計算機であって、
前記バックアップポリシー情報は、ローカルコピー又はリモートコピーの種別、バックアップ作成世代数、及びバックアップスケジュールから選択した項目を含んでいることを特徴とする管理計算機。
【請求項１２】
請求項７から１１までのいずれかに記載の管理計算機であって、
前記バックアップのペアが構成されているアプリケーションのバックアップデータをバックアップ元であるボリュームグループにある論理ボリュームに書き戻すリストア処理を実施するに際して、前記ボリュームグループ重複使用判定部が、前記ボリュームグループに前記他の論理ボリュームがあると判定した場合に、
新たにボリュームグループを作成し、前記他の論理ボリュームに格納されているデータを新規のボリュームグループに移動させ、バックアップ元のボリュームグループに前記アプリケーションのバックアップデータをコピーし、新規ボリュームグループに移動させた前記データをバックアップ元のボリュームグループへ書き戻す手法と、
バックアップ元の論理ボリュームとバックアップ先の論理ボリュームとからなるペアをスプリットし、当該アプリケーションのバックアップデータが格納されている前記バックアップ先の論理ボリュームを前記ホスト計算機にマウントし、前記バックアップ元の論理ボリュームにバックアップデータをコピーする手法とから選択したいずれかの手法を用いてリストア処理を実行することを特徴とする管理計算機。
【請求項１３】
アプリケーションが動作するホスト計算機と、それぞれ一以上の論理ボリュームを含む複数のボリュームグループと、前記アプリケーションからのファイル入出力要求に応じて前記論理ボリュームに対するデータ書き込み及び読み出しを行うファイル共有システムと、通信インターフェイスとを備え、少なくとも一の前記論理ボリュームが前記アプリケーションに割り当てられているストレージ装置とに相互に通信可能に接続している管理計算機であって、
前記管理計算機が、
前記アプリケーションが使用している前記論理ボリュームが属するボリュームグループをバックアップ元とするペアを構成する場合に、前記ボリュームグループに、他のアプリケーションが使用している他の論理ボリュームがあるか否かを判定するボリュームグループ重複使用判定部と、
前記アプリケーションが使用している前記論理ボリュームが属するボリュームグループをバックアップ元とするペアを構成する場合に、前記アプリケーションについて設定されたバックアップポリシー情報と同一のバックアップポリシー情報が設定されている他のボリュームグループがあるか否かを判定するバックアップポリシー判定部とを備え、
前記ボリュームグループ重複使用判定部が、前記ボリュームグループに前記他の論理ボリュームがないと判定した場合に、当該ボリュームグループをバックアップ元としてペアを構成し、
前記ボリュームグループ重複使用判定部が、前記ボリュームグループに前記他の論理ボリュームを共用している他のアプリケーションがあると判定し、かつ前記バックアップポリシー判定部が同一のバックアップポリシー情報を有する他のアプリケーションが使用している論理ボリュームが属する他のボリュームグループがあると判定した場合に、
前記アプリケーションの論理ボリュームを、当該他のボリュームグループに移動させ、当該他のボリュームグループをバックアップ元としてペアを構成する
ことを特徴とする管理計算機。
【請求項１４】
請求項１３に記載の管理計算機であって、
前記ボリュームグループ重複使用判定部が、前記ボリュームグループに前記他の論理ボリュームがないと判定した場合に、当該アプリケーションが使用している論理ボリュームが属するボリュームグループをバックアップ元としてペアを構成可能である旨を当該アプリケーションの管理者に通知し、
前記ボリュームグループ重複使用判定部が、前記ボリュームグループに前記他の論理ボリュームがあると判定した場合に、当該ボリュームグループをバックアップ元としてペアを構成できない旨を当該アプリケーションの管理者に通知するとともに、当該アプリケーションが使用している論理ボリュームが属するボリュームグループを他のボリュームグループに移動させる旨を当該管理者に通知することを特徴とする管理計算機。
【請求項１５】
請求項１３又は１４に記載の管理計算機であって、
前記管理計算機は、前記ボリュームグループ重複使用判定部が、前記ボリュームグループに前記他の論理ボリュームがあると判定した場合に、当該アプリケーションについて設定されたバックアップポリシー情報と同一のバックアップポリシー情報が設定されている他のアプリケーションが使用している論理ボリュームが属する既存のボリュームグループがあるか否かを検索し、あると判定された場合に、移動先となるボリュームグループが存在する旨をアプリケーション管理者に通知することを特徴とする管理計算機。